(57)【特許請求の範囲】
【請求項１】
破砕ビットが装着されたスクリューを用いて、地中に埋設された筋材又は線材を含まない柱状改良杭を撤去する地中埋設杭撤去方法であって、
前記スクリューは、筒状のケーシングの内部に上下移動及び回転可能に収容され、
前記スクリューを前記柱状改良杭の上方位置にセットする位置決め工程と、
前記スクリューを回転させながら前記ケーシングとともに下降させることにより、前記破砕ビットで前記柱状改良杭を破砕しながら地中を掘削し、前記破砕ビットを、前記ケーシングの下端より下方位置において、前記ケーシングの直径より大きい回転径で回転させる掘削工程と、
前記スクリューの基端側から圧縮空気を注入して先端側から噴射させることにより、地中に存在する前記柱状改良杭の破砕物を前記ケーシングの上部から排出する排出工程と、
を包含する地中埋設杭撤去方法。
【請求項２】
前記ケーシングを地中に残存させた状態で、前記スクリューを前記ケーシングから引き抜く引抜工程と、
前記スクリューが引き抜かれた前記ケーシングの内部に土壌を充填する充填工程と、
前記土壌を地中に残存させた状態で、前記ケーシングを地上に引き揚げる引揚工程と、
をさらに包含する請求項１に記載の地中埋設杭撤去方法。
【請求項３】
前記位置決め工程において、前記ケーシングは、上面視で前記柱状改良杭を包囲するように配置される請求項１又は２に記載の地中埋設杭撤去方法。
【請求項４】
前記排出工程において、前記圧縮空気の注入量は、前記柱状改良杭の破砕物の排出量に応じて調整される請求項１〜３の何れか一項に記載の地中埋設杭撤去方法。
【請求項５】
前記掘削工程と前記排出工程とを同期させる請求項１〜４の何れか一項に記載の地中埋設杭撤去方法。
【請求項６】
前記掘削工程と前記排出工程とを交互に反復させる請求項１〜４の何れか一項に記載の地中埋設杭撤去方法。
【請求項７】
地中に埋設された筋材又は線材を含まない柱状改良杭を撤去する地中埋設杭撤去装置であって、
破砕ビットが装着されたスクリューと、
前記スクリューを上下移動及び回転可能に収容する筒状のケーシングと、
前記スクリューを前記柱状改良杭の上方位置にセットする位置決め手段と、
前記スクリューの基端側に接続され、当該スクリューの先端側から圧縮空気を噴射させる圧縮空気源と、
前記ケーシングの上部に装着され、前記破砕ビットによって破砕された前記柱状改良杭の破砕物を排出する排出手段と、
を備え、
前記破砕ビットは、前記ケーシングの下端より下方位置において、前記ケーシングの直径より大きい回転径で回転する地中埋設杭撤去装置。
【請求項８】
前記スクリューを前記ケーシングに対して相対移動させる移動手段と、
前記ケーシングの内部に土壌を充填する充填手段と、
前記ケーシングを引き揚げる引揚手段と、
をさらに備えた請求項７に記載の地中埋設杭撤去装置。
【発明の詳細な説明】
【技術分野】
【０００１】
本発明は、地中に埋設された筋材又は線材を含まない柱状改良杭を撤去する地中埋設杭撤去方法、及び地中埋設杭撤去装置に関する。
【背景技術】
【０００２】
住宅等の建物を建築する場合、その地盤の強度が不十分であることが判明すると、地盤を安定させるための地盤改良工事が行われることがある。例えば、「柱状改良工法」と呼ばれる地盤改良工事が知られている。柱状改良工法は、地盤を掘削してセメントスラリーを注入し、その状態で攪拌を行ってセメントスラリーと地盤に含まれる土壌とを混合し、その混合物を固化させて地中に柱状の杭を形成する工法である。この杭は柱状改良杭と呼ばれ、軟弱な地盤の上に建築された建物を安定化させるように機能するものである。柱状改良工法は、軟弱層が地表面から続いている場合に有効な工法であり、比較的小型の機械を用いて施工することができるため、近年、一般住宅向けの地盤改良工事において施工実績が増加している。
【０００３】
地盤の深層部が軟弱である場合には、「スラリー系機械攪拌式深層混合処理工法」と呼ばれる地盤改良工事が行われる。スラリー系機械攪拌式深層混合処理工法は、地盤を掘削しながら、セメントスラリーの注入及び攪拌機による攪拌を行い、掘削が所定の深度に到達したら、攪拌機を上下に反復移動させることで、深層部でのセメントスラリーと土壌との混合性を高めたものであり、これも柱状改良工法の一種である。スラリー系機械攪拌式深層混合処理工法では、攪拌機の攪拌速度、並びに上下移動速度（掘削速度及び引き揚げ速度）を管理することにより、高品質の柱状改良杭を形成することができる。
【０００４】
このように、柱状改良工法によって地中に形成される柱状改良杭は、基本的にはセメントスラリーと土壌との混合物から構成される中実の柱状体であり、鉄骨等の筋材やピアノ線等の線材が含まれないコンクリートを主成分としたシンプルな構造物となる。
【０００５】
ところで、土地を売却する場合、その土地に建築されている建物を解体し、整地することが求められることがある。ところが、上記のような地盤改良工事を施工した土地では、地中に柱状改良杭が残存しているため、地表面を更地にしただけでは不十分であり、柱状改良杭を撤去しなければ土地の評価額が低くなることがある。そこで、地中に杭等が埋設されている場合には、これらを完全に撤去する等して土地をほぼ元の状態に回復させることが望まれている。
【０００６】
地中に埋設された杭を撤去する技術として、例えば、杭に振動を与えて周辺地盤との摩擦を低減することにより、杭を引き抜き易くする工法があった（例えば、特許文献１を参照）。特許文献１によれば、地中に突き刺さっている既設杭を引き抜くために、チャック装置を備えた振動杭打機が使用される。この工法では、既設杭をチャック装置の中心に位置させた状態で振動杭打機を地盤の所定位置まで貫入し、チャック装置で既設孔を保持した状態で振動杭打機を上昇させる。これにより、既設杭は地中から撤去される。
【０００７】
地中に埋設された杭を撤去する他の技術として、杭が埋設されている地盤に存在する地下水を利用し、杭が打設されている地層を緩ませた状態で杭を引き抜く工法があった（例えば、特許文献２を参照）。特許文献２によれば、既設杭の内部に詰まった土砂等の充填物を既設杭の下端まで掘削し、土砂等を地下水とともに排出することにより、既設杭下端でボイリング現象を誘発させる。これにより、既設杭を支持している地盤に緩みが発生し、この状態で既設杭を一旦下方に貫入させた後、上方に引き揚げると、既設杭は地中から撤去される。
【０００８】
地中に埋設された杭を撤去する別の技術として、杭を細かく切断した状態で繰り返し地上に排出する工法があった（例えば、特許文献３を参照）。特許文献３によれば、既設杭の軸心近傍を掘削して貫通孔を形成し、この貫通孔の内部にガイドレールを敷設し、当該ガイドレールに既設杭を切断するための切断手段、及び切断片を地上に搬送するための排出手段を走行させている。既設杭は、切断手段による切断、及び排出手段による切断片の搬送が繰り返されることにより、地中から順次撤去される。
【先行技術文献】
【特許文献】
【０００９】
【特許文献１】特開平６−１４６２８２号公報
【特許文献２】特開２０００−３５２０５３号公報
【特許文献３】特開平７−２１６８８６号公報
【発明の概要】
【発明が解決しようとする課題】
【００１０】
上述の特許文献１〜３に記載される技術は、工場やビル等の比較的大規模な建築物に使用されることが多い既設杭を対象とした工法であり、近年、施工実績が増加している一般住宅向けの地盤改良工事等において用いられる柱状改良杭を想定したものではない。このため、特許文献１〜３の既設杭の撤去工法をそのまま柱状改良杭の撤去に転用すると、様々な問題が発生することが予想される。
【００１１】
特許文献１の工法は、既設杭を撤去するために振動杭打機を使用しているが、一般住宅等に使用される柱状改良杭は、筋材又は線材を含まないため、既設杭と比べると脆く砕け易いものとなっている。そのため、振動杭打機を用いて柱状改良杭に振動を与えると、柱状改良杭が地中で破断し、地上に引き揚げることができなくなる虞がある。また、振動杭打機は大掛かりな装置構成となるため、日本の一般的な住宅地では、装置や機材の搬入自体が難しいケースが多いと予想される。
【００１２】
特許文献２の工法は、それほど大掛かりな装置構成とはならないが、大量の地下水が土砂とともに地表に噴出するため、杭を引き揚げた後に泥水処理が必要となる。また、地下水が存在する地盤でなければ実施できないため、日本の一般的な住宅地において適用できるケースは限られている。
【００１３】
特許文献３の工法は、既設杭に形成した貫通孔内部にガイドレール等の構造物を設置することから、径が大きい杭を対象とするものである。一般住宅等に使用される柱状改良杭は、通常、既設杭より径が小さいため、同様の工法を適用することは困難である。また、装置構成が複雑になるため、施工に多大なコストを要するという問題もある。
【００１４】
このように、地中に埋設された既設杭を撤去する技術は種々が知られているが、地中に埋設された柱状改良杭を撤去するための技術については、柱状改良杭の歴史が比較的浅いこともあって、有効な工法は未だ開発されていないのが現状である。
【００１５】
本発明は、上記問題点に鑑みてなされたものであり、特に、近年、一般住宅等に使用されるようになってきた筋材又は線材を含まない柱状改良杭を対象とし、地中に埋設された柱状改良杭を低コストで且つ確実に撤去する技術を確立することを目的とする。
【課題を解決するための手段】
【００１６】
上記課題を解決するための本発明に係る地中埋設杭撤去方法の特徴構成は、
破砕ビットが装着されたスクリューを用いて、地中に埋設された筋材又は線材を含まない柱状改良杭を撤去する地中埋設杭撤去方法であって、
前記スクリューは、筒状のケーシングの内部に上下移動及び回転可能に収容され、
前記スクリューを前記柱状改良杭の上方位置にセットする位置決め工程と、
前記スクリューを回転させながら前記ケーシングとともに下降させることにより、前記破砕ビットで前記柱状改良杭を破砕しながら地中を掘削し、前記破砕ビットを、前記ケーシングの下端より下方位置において、前記ケーシングの直径より大きい回転径で回転させる掘削工程と、
前記スクリューの基端側から圧縮空気を注入して先端側から噴射させることにより、地中に存在する前記柱状改良杭の破砕物を前記ケーシングの上部から排出する排出工程と、
を包含することにある。
【００１７】
上述のとおり、一般住宅向けの地盤改良工事において施工される柱状改良杭は、比較的新しい技術であるため、建物を解体して柱状改良杭が埋設されている土地を整地するというケースはまだそれほど多くはない。従って、地中に埋設されている柱状改良杭の撤去技術は、これから本格的に検討されていく技術であり、既設杭の撤去方法とは異なる新たな技術開発が望まれている。
そこで、本発明者らは、筋材又は線材を含まない柱状改良杭は、従来公知の既存杭と比較して脆く砕け易いという性質に着目し、鋭意研究の結果、柱状改良杭を対象とした新たな撤去工法を開発するに至った。
本構成の地中埋設杭撤去方法によれば、地中に埋設されている柱状改良杭は、スクリューに装着された破砕ビットで破砕された後、スクリューの基端側から注入し、先端側から噴射される圧縮空気の力により、スクリューを収容しているケーシングの上部から地上に排出される。つまり、既設杭を撤去する場合では必要であった杭の引き抜き作業が本発明では不要となる。本発明は、脆く砕け易い柱状改良杭を無理やり引き抜くのではなく、敢えて地中で破砕してしまうことで、地中から撤去し易くするという全く新しい技術思想に基づいてなされたものである。破砕した柱状改良杭の破片は、筋材又は線材を含まないことから軽量であるため、圧縮空気の力によって地上に排出することが可能となる。また、破砕物の搬送に圧縮空気を利用しているため、掘削現場が水でぬかるんだり、薬剤で汚染されたりすることがない。従って、土地を回復させるにあたり、地盤の損傷や汚染を最小限に抑制することができる。
さらに、本構成の地中埋設杭撤去方法によれば、破砕ビットによる破砕範囲がケーシングの直径を確実に含むため、地盤の掘削時にケーシングをスムーズに下降させることができ、その結果、ケーシングの内部への破砕物の収容を確実に行うことができる。また、柱状改良杭を破砕する際に、例えば、柱状改良杭が若干傾いてケーシングの枠から外れそうになっても破砕ビットで確実に破砕することができるので、掘削作業を中断することなく、連続運転が可能となる。
【００１８】
本発明の地中埋設杭撤去方法において、
前記ケーシングを地中に残存させた状態で、前記スクリューを前記ケーシングから引き抜く引抜工程と、
前記スクリューが引き抜かれた前記ケーシングの内部に土壌を充填する充填工程と、
前記土壌を地中に残存させた状態で、前記ケーシングを地上に引き揚げる引揚工程と、
をさらに包含することが好ましい。
【００１９】
本構成の地中埋設杭撤去方法によれば、破砕した柱状改良杭の破片を圧縮空気によって地上に搬送（撤去）すると、ケーシング内が空洞になるため、スクリューを引き抜いてケーシングの内部に土壌を充填し、その後ケーシングを地上に引き揚げるだけで、掘削によって形成した穴を土壌で埋めることができる。これにより、土地をほぼ元の状態に回復させることができ、整地が完了する。
【００２０】
本発明の地中埋設杭撤去方法において、
前記位置決め工程において、前記ケーシングは、上面視で前記柱状改良杭を包囲するように配置されることが好ましい。
【００２１】
本構成の地中埋設杭撤去方法によれば、柱状改良杭を破砕しながら地中を掘削する前に、上面視で破砕対象の柱状改良杭を包囲するようにケーシングを配置することで、柱状改良杭の破砕物を確実にケーシングの内部に収容することができる。その結果、柱状改良杭をほぼ全て撤去することが可能となり、埋設異物が排除された評価額の高い土地に仕上げることができる。
【００２４】
本発明の地中埋設杭撤去方法において、
前記排出工程において、前記圧縮空気の注入量は、前記柱状改良杭の破砕物の排出量に応じて調整されることが好ましい。
【００２５】
本構成の地中埋設杭撤去方法によれば、圧縮空気の注入量と、柱状改良杭の破砕物の排出量とのバランスを見ながら、柱状改良杭の撤去作業を連続的に行うことができる。
【００２６】
本発明の地中埋設杭撤去方法において、
前記掘削工程と前記排出工程とを同期させることが好ましい。
【００２７】
本構成の地中埋設杭撤去方法によれば、掘削工程と排出工程とを同期させることで、柱状改良杭の破砕物が地中に過剰に滞留したり、柱状改良杭の破砕物が地上に一気に排出されたりすることなく、安定した定常状態で柱状改良杭の撤去作業を連続的に行うことができる。
【００２８】
本発明の地中埋設杭撤去方法において、
前記掘削工程と前記排出工程とを交互に反復させることが好ましい。
【００２９】
本構成の地中埋設杭撤去方法によれば、掘削工程と排出工程とを交互に反復させることで、夫々の作業を独立して行うことができる。従って、一人のオペレーターでも余裕を持って柱状改良杭の撤去作業を進めることができる。
【００３０】
上記課題を解決するための本発明に係る地中埋設杭撤去装置の特徴構成は、
地中に埋設された筋材又は線材を含まない柱状改良杭を撤去する地中埋設杭撤去装置であって、
破砕ビットが装着されたスクリューと、
前記スクリューを上下移動及び回転可能に収容する筒状のケーシングと、
前記スクリューを前記柱状改良杭の上方位置にセットする位置決め手段と、
前記スクリューの基端側に接続され、当該スクリューの先端側から圧縮空気を噴射させる圧縮空気源と、
前記ケーシングの上部に装着され、前記破砕ビットによって破砕された前記柱状改良杭の破砕物を排出する排出手段と、
を備え、
前記破砕ビットは、前記ケーシングの下端より下方位置において、前記ケーシングの直径より大きい回転径で回転することにある。
【００３１】
本構成の地中埋設杭撤去装置によれば、上述した本発明の地中埋設杭撤去方法と同様の優れた作用効果を奏する。
すなわち、本発明では、既設杭を撤去する場合では必要であった杭の引き抜き作業が不要となり、しかも、脆く砕け易い柱状改良杭を地中から容易に撤去することができる。また、破砕物の搬送に圧縮空気を利用しているため、掘削現場が水でぬかるんだり、薬剤で汚染されたりすることがなく、土地を回復させるにあたり、地盤の損傷や汚染を最小限に抑制することができる。
【００３２】
本発明の地中埋設杭撤去装置において、
前記スクリューを前記ケーシングに対して相対移動させる移動手段と、
前記ケーシングの内部に土壌を充填する充填手段と、
前記ケーシングを引き揚げる引揚手段と、
をさらに備えることが好ましい。
【００３３】
本構成の地中埋設杭撤去装置によれば、上述した本発明の地中埋設杭撤去方法と同様の優れた作用効果を奏する。
すなわち、本発明では、掘削によって形成した穴を土壌で埋めることで、土地をほぼ元の状態に回復させることができる。
【図面の簡単な説明】
【００３４】
【図１】図１は、本発明の地中埋設杭撤去装置の構成を概略的に示した説明図である。
【図２】図２は、本発明の地中埋設杭撤去方法を実施する手順を示した工程説明図である。
【図３】図３は、地中埋設杭撤去方法を実施するにあたり、オーガーと柱状改良杭との適切な位置関係を示した説明図である。
【発明を実施するための形態】
【００３５】
以下、本発明に係る実施形態を図１〜図３に基づいて説明する。ただし、本発明は、以下に説明する実施形態や図面に記載される構成に限定されることを意図しない。
【００３６】
〔柱状改良杭〕
初めに、本発明の地中埋設杭撤去方法、及び地中埋設杭撤去装置において施工対象となる柱状改良杭について説明する。柱状改良杭は、前述したように、柱状改良工法やスラリー系機械攪拌式深層混合処理工法等の地盤改良工事を施工する場合において、地中に形成される筋材や線材を含まない中実の柱状体である。柱状改良杭の構成成分は、主に、セメントと土壌との混合物である。地盤改良工事を行うにあたっては、先ず、セメントスラリーが調合される。セメントスラリーの配合は、水／セメント比（重量比）として、５０／５０〜９０／１０、好ましくは６０／４０〜８０／２０、より好ましくは７０／３０に調整される。セメントスラリーに混合される土壌は、通常は地盤改良工事を行う地盤に存在する土壌（すなわち、掘削土）である。セメントスラリーと土壌との混合比率は、施工する地盤の状態（掘削土の種類、粒度、硬度、粘度、含水量等）を考慮し、施工後の柱状改良杭を含む改良地盤が、後述の許容鉛直支持力度を満たすように調整される。
【００３７】
柱状改良杭は、地盤の掘削穴の内部に形成されるため、通常は円柱形状である。柱状改良杭のサイズは、掘削穴のサイズ、すなわち掘削条件によって決まる。柱状改良杭のサイズは、通常、直径が４００〜１０００ｍｍ、好ましくは５００〜８００ｍｍ、より好ましくは５００〜６００ｍｍに設定され、高さが１〜１０ｍに設定される。また、一般的な住宅地における地盤改良工事の場合、一回の工事において、１０〜８０本程度の柱状改良杭が住宅の基礎下方の地中に形成される。
【００３８】
柱状改良杭は、安全性等の観点から一定の基準を満たすことが要求される。例えば、柱状改良杭を施工した改良地盤の指標として、許容鉛直支持力度が定められている。許容鉛直支持力度とは、地盤がせん断破壊するときの鉛直方向の極限支持力を所定の安全率で割った数値である。長期的に見た場合、改良地盤の許容鉛直支持力度は、２０ｋＮ／ｍ２以上を達成することが望ましいとされている。また、柱状改良杭そのものの強度は、一軸圧縮試験において、６００ｋＮ／ｍ２以上を達成することが望ましいとされている。
【００３９】
〔地中埋設杭撤去装置〕
地盤改良工事によって形成した柱状改良杭を撤去する必要が生じた場合、地中埋設杭撤去装置が用いられる。本発明では、掘削機能を備えた工事用重機を地中埋設杭撤去装置に利用している。図１は、本発明の地中埋設杭撤去装置１００の構成を概略的に示した説明図である。地中埋設杭撤去装置１００は、オーガー１０、車両２０、及びコンプレッサー３０を備えている。
【００４０】
オーガー１０は、回転しながら地盤Ｇを掘削するスクリュー１１と、スクリュー１１を収容するケーシング１２とを備えている。オーガー１０は金属製のため、通常はケーシング１２の外側から内部のスクリュー１１を目視することはできないが、図１では説明容易化のため、ケーシング１２の内部を透過させた状態で示してある。ここで、スクリュー１１のうち、地盤Ｇを掘削する側（下側）を先端側１１Ａとし、その反対の上側を基端側１１Ｂと規定する。スクリュー１１は、回転軸Ｘに沿って延在するスクリューロッド１１ａと、スクリューロッド１１ａの周囲に螺旋状に形成される回転翼１１ｂとを備えている。スクリューロッド１１ａの内部には回転軸Ｘに沿って中空部１１ｃが形成されている。従って、スクリュー１１は、回転軸Ｘの方向に沿って、基端側１１Ｂからスクリューロッド１１ａ内の中空部１１ｃを介して先端側１１Ａまで通じる管状構造となっている。スクリュー１１は、先端側１１Ａに柱状改良杭Ｐを破砕するための破砕ビット１３が装着され、基端側１１Ｂ付近にオーガー中空チャック部分１４が設けられる。オーガー１０を駆動してスクリュー１１を回転させると、破砕ビット１３及び回転翼１１ｂによる地盤Ｇの掘削が進行し、スクリュー１１の進行方向（掘削方向）に柱状改良杭Ｐが存在すると、破砕ビット１３により破砕される。オーガー１０の駆動中、スクリューロッド１１ａ内の中空部１１ｃは、コンプレッサー３０から供給された圧縮空気によって高圧に維持されている。このため、スクリュー１１は、地盤Ｇの掘削土や柱状改良杭Ｐの破砕物によって閉塞されることはなく、掘削作業を継続することができる。
【００４１】
ケーシング１２は、スクリュー１１の外径より大きい内径を有する筒状部材であり、本来は掘削中の地盤Ｇの崩壊を防止するためのものであるが、本発明においては、掘削土及び破砕物の散乱を防止する役割も担っている。ケーシング１２に収容されるスクリュー１１は、撤去対象となる柱状改良杭Ｐに合わせて交換可能である。そのため、スクリュー１１は、種々のサイズのものが準備されている。典型的な一般住宅用の柱状改良杭を対象とする場合、スクリュー１１のサイズは、外径４００〜１０００ｍｍ、長さ１０００〜１００００ｍｍに設定される。ケーシング１２は、内部に収容するスクリュー１１が干渉しないように設定され、例えば、前述したサイズのスクリュー１１を収容する場合、内径が４０５〜１０５０ｍｍ、長さが１０００〜１００００ｍｍ程度に設定される。このように、ケーシング１２のサイズ（内径）は、スクリュー１１のサイズ（外径）より１〜５％程度大きくなるように構成することが好適である。なお、スクリュー１１及びケーシング１２として、さらに長いサイズのものを要する場合は、既存のスクリュー１１及びケーシング１２を複数用意し、これらを縦に結合して使用することも可能である。スクリュー１１は、ケーシング１２の内部に収容された状態で、ケーシング１２に対して相対的に上下移動及び回転動作をすることができる。ケーシング１２の上部には、破砕ビット１３によって破砕された柱状改良杭Ｐの破砕物を地上に排出するための排出部１５が装着される。排出部１５は、ボルト等の締結部材によりケーシング１２に着脱可能に構成される。排出部１５は、ケーシング１２に被せられる管体１５ａと、柱状改良杭Ｐの破砕物が排出される開口部１５ｂとを有している。管体１５ａの上端には、ケーシング１２から排出部１５に押し上げられてきた柱状改良杭Ｐの破砕物が上方に飛び出さないように、スクリューロッド１１ａの周囲を封止するキャップを設けることができる。開口部１５ｂは、ケーシング１２から排出部１５に押し上げられてきた柱状改良杭Ｐの破砕物が、ケーシング１２の内部に後戻りしないように、側方に向かって開口している。柱状改良杭Ｐの破砕物の排出工程については、後述の「地中埋設杭撤去方法」のところで詳しく説明する。
【００４２】
車両２０は、オーガー１０を地盤Ｇに対して鉛直方向に立てた状態で支持しながら、オーガー１０を掘削地点まで移動させる重機である。つまり、車両２０は、オーガー１０を柱状改良杭Ｐが埋設されている地点の上方位置にセットする位置決め手段となる。オーガー１０の昇降動作（上下移動）は、車両２０に設けられた昇降機２１によって行われる。昇降機２１には、通称「だっこちゃん」と呼ばれる把持アーム２２が設けられており、図１では、オーガー１０のオーガー中空チャック部分１４の近傍が把持アーム２２で把持されている。昇降機２１は、オーガー１０を上下移動させるものであるが、ここで、スクリュー１１をケーシング１２に対してフリー状態（完全に相対移動可能な状態）にして昇降機２１を上昇させると、把持アーム２２に把持されているオーガー中空チャック部分１４が上方に移動し、これにより、スクリュー１１をケーシング１２の内部から引き抜くことができる。このように、昇降機２１は、スクリュー１１をケーシング１２に対して相対移動させる移動手段となる。また、昇降機２１の把持アーム２２は、ケーシング１２の側面を把持することも可能である。この場合、昇降機２１を上昇させると、ケーシング１２のみを上方に移動させることができる。従って、昇降機２１は、ケーシング１２を引き揚げる引揚手段としての機能も有する。
【００４３】
本発明の地中埋設杭撤去装置１００は、柱状改良杭Ｐの破砕物を圧縮空気の力で地上まで搬送するものである。そのため、圧縮空気源として、コンプレッサー３０を備えている。コンプレッサー３０は、破砕ビット１３の先端に圧縮空気を供給するように、スクリュー１１の基端側１１Ｂに接続される。スクリュー１１の基端側１１Ｂに注入された圧縮空気は、スクリューロッド１１ａ内の中空部１１ｃを通過し、スクリュー１１の先端側１１Ａから破砕ビット１３の周囲に噴射される。これにより、地中が高圧状態となり、柱状改良杭Ｐの破砕物はケーシング１２の内部を通って上方に搬送される。そして、柱状改良杭Ｐの破砕物は、ケーシング１２の上部に設けられた排出部１５から地上に排出される。コンプレッサー３０から吐出される圧縮空気は、コンプレッサー３０の出力制御や、コンプレッサー３０のバルブ３１の調節により、適切な空気圧および吐出量に調整される。柱状改良杭Ｐの破砕物の搬送及び排出をスムーズに行うためには、コンプレッサー３０から吐出される圧縮空気を、空気圧０．６ＭＰａ以上、吐出量５ｍ３／分以上に維持することが好ましい。なお、圧縮空気源として、コンプレッサー３０の代わりに高圧の空気ボンベ（図示せず）を使用し、空気ボンベから噴射される圧縮空気によって柱状改良杭Ｐの破砕物を搬送及び排出することも可能である。
【００４４】
〔地中埋設杭撤去方法〕
図２は、本発明の地中埋設杭撤去方法を実施する手順を示した工程説明図である。図３は、地中埋設杭撤去方法を実施するにあたり、オーガー１０と柱状改良杭Ｐとの適切な位置関係を示した説明図である。ここで、図３は、地表面側からオーガー１０を見たものであるが、柱状改良杭Ｐとの位置関係を分かり易くするため、地中に埋設されている柱状改良杭Ｐの輪郭を破線で示してある。また、図２及び図３においては、説明簡略化のため、図１に示していた車両２０については記載を省略してある。
【００４５】
本発明の地中埋設杭撤去方法では、図２に示す（ａ）位置決め工程、（ｂ）掘削工程、及び（ｃ）排出工程が実施され、さらに、（ｄ）引抜工程、（ｅ）充填工程、及び（ｆ）引揚工程が実施される。その結果、図２（ｇ）に示すように、整地作業が完了する。以下、地中埋設杭撤去方法の各工程について、詳細に説明する。
【００４６】
図２（ａ）の位置決め工程では、スクリュー１１を柱状改良杭Ｐの上方位置にセットする。地中の柱状改良杭Ｐの位置については、予め事前調査や建物の設計図面等から正確に把握しておくことが好ましい。次に、車両２０を操縦して地盤Ｇの掘削地点まで移動し、車両２０に取り付けられているオーガー１０を撤去対象の柱状改良杭Ｐの上方に正確に配置する。すなわち、図３に示すように、スクリュー１１のスクリューロッド１１ａの回転軸Ｘを柱状改良杭Ｐの中心に合わせる。このとき、スクリュー１１を収容しているケーシング１２が、上面視で柱状改良杭Ｐを包囲するように配置することが好ましい。図３のように、ケーシング１２が破砕対象の柱状改良杭Ｐを完全に取り囲むようにオーガー１０をセットし、この状態で地盤Ｇの掘削を行うと、柱状改良杭Ｐの破砕物は確実にケーシング１２の内部に収容されることになる。従って、柱状改良杭Ｐは、破砕物の状態でほぼ全てを回収することができる。
【００４７】
図２（ｂ）の掘削工程では、オーガー１０を駆動してスクリュー１１を回転させる。この状態でオーガー１０を把持している昇降機２１を下降させると、スクリュー１１はケーシング１２とともに下降し、スクリュー１１の先端側１１Ａに装着されている破砕ビット１３が地表面に接触して地盤Ｇの掘削が開始される。そして、このまま昇降機２１の下降を続けると、破砕ビット１３はケーシング１２の下端より下方位置にあるため、破砕ビット１３はケーシング１２よりも先に柱状改良杭Ｐの埋設位置に到達することになる。そして、柱状改良杭Ｐは、破砕ビット１３により細かく破砕されて破砕物ｐとなる。地中に生成した破砕物ｐは、破砕ビット１３に続いて下降してきたケーシング１２の内部（内側）に収容される。掘削工程においては、破砕ビット１３の回転径をケーシング１２の直径より大きくしておくことが好ましい。この場合、破砕ビット１３による破砕範囲がケーシング１２の直径を確実に含むため、地盤Ｇの掘削時にケーシング１２をスムーズに下降させることができ、その結果、ケーシング１２の内部に破砕物ｐを確実に収容することができる。また、柱状改良杭Ｐを破砕する際に、例えば、柱状改良杭Ｐが若干傾いてケーシング１２の枠から外れそうになることがあっても、破砕ビット１３は確実に柱状改良杭Ｐを破砕することができるため、掘削作業を中断することなく、連続運転が可能となる。破砕ビット１３の回転径の拡大は、図３に示すように、破砕ビット１３はスクリュー１１に対して枢軸１３ａで回動可能に軸支されているため、スクリュー１１を回転させるだけで自動的に行うことができる。すなわち、スクリュー１１を白矢印の方向である正方向（掘削方向）に回転させると、破砕ビット１３は、掘削土の抵抗を受けて枢軸１３ａを中心に回動することにより先端がケーシング１２の枠外に突出し、実線で示した開状態となる。これにより、破砕ビット１３の回転径が拡大する。一方、スクリュー１１を逆方向に回転させると、破砕ビット１３は内側に押し込まれてケーシング１２の枠内に後退するように回動し、これにより、破砕ビット１３は破線で示した閉状態となって、回転径が縮小する。
【００４８】
図２（ｃ）の排出工程では、コンプレッサー３０を駆動し、スクリュー１１に圧縮空気を供給する。スクリュー１１の基端側１１Ｂに注入された圧縮空気は、スクリューロッド１１ａ内の中空部１１ｃを通り、スクリュー１１の先端側１１Ａから破砕ビット１３の周囲に噴射される。これにより、地中が高圧状態となるため、地中に存在する柱状改良杭Ｐの破砕物ｐは、スクリュー１１とケーシング１２の内壁との間の空間を通って上方に押し上げられ、ケーシング１２の上部に設けられた排出部１５の開口部１５ｂから地上に排出される。コンプレッサー３０からスクリュー１１への圧縮空気の注入量は、柱状改良杭Ｐの破砕物ｐの排出量に応じて適宜調整される。圧縮空気の注入量と、柱状改良杭Ｐの破砕物ｐの排出量とのバランスをとることで、柱状改良杭Ｐの撤去作業を連続的に行うことが可能となる。
【００４９】
図２（ｂ）の掘削工程、及び図３（ｃ）の排出工程は、実際には、並行して又は交互に実施される。掘削工程と排出工程とを並行して実施する場合、両工程を同期させることが好ましい。この場合、オーガー１０を駆動してスクリュー１１を回転させると同時に、コンプレッサー３０からスクリュー１１に圧縮空気を注入することで、両工程を同期させることができる。掘削工程と排出工程とを同期させると、柱状改良杭Ｐの破砕物ｐが地中に過剰に滞留したり、柱状改良杭Ｐの破砕物ｐが地上に一気に排出されたりすることなく、安定した定常状態で柱状改良杭Ｐの撤去作業を連続的に行うことが可能となる。掘削工程と排出工程とを交互に実施する場合は、夫々の作業を独立して行うことになるので、一人のオペレーターでも余裕を持って柱状改良杭Ｐの撤去作業を進めることができ、さらに、掘削工程と排出工程とを交互に反復実施することで、最終的に柱状改良杭Ｐを完全に撤去することが可能となる。このように、（ａ）位置決め工程、（ｂ）掘削工程、及び（ｃ）排出工程を実施することにより、地中に埋設された柱状改良杭Ｐは撤去される。そして、整地作業を完了するためには、引き続いて（ｄ）引抜工程、（ｅ）充填工程、及び（ｆ）引揚工程を実施する。
【００５０】
図２（ｄ）の引抜工程では、ケーシング１２を地中に残存させた状態で、スクリュー１１をケーシング１２から引き抜く作業が行われる。スクリュー１１の引き抜きは、スクリュー１１をケーシング１２に対してフリー状態（完全に相対移動可能な状態）にし、昇降機２１を上昇させることにより行われる。スクリュー１１が引き抜かれたケーシング１２は、内部が空洞状態となる。
【００５１】
図２（ｅ）の充填工程では、ケーシング１２の内部（空洞）に新たな土壌Ｓが充填される。充填工程に使用される土壌Ｓは、土地をほぼ元の状態に回復させるという観点から、掘削を行った地盤を構成する土壌と同種の土壌が好ましいが、地盤の強度を確保できる土壌であれば、他の場所から持ち込んだ土壌であっても構わない。そのような土壌として、例えば、真砂、川砂、自然砕石、山ズリ等を使用することができる。充填工程は、土壌を効率よく扱うことができる充填手段、例えば、バックホー４０を用いて行われる。バックホー４０を用いて土壌Ｓの充填作業を行えば、複数の柱状改良杭Ｐの撤去作業を効率よく実施することができる。なお、ケーシング１２の内径（すなわち、掘削穴の直径）が小さい場合は、バックホー４０を用いるまでもなく、作業員が手作業により、ケーシング１２の内部に土壌Ｓを充填するようにしても構わない。
【００５２】
図２（ｆ）の引揚工程では、ケーシング１２を地上に引き揚げる作業が行われる。ケーシング１２の引き揚げは、例えば、昇降機２１の把持アーム２２をケーシング１２の側面に装着し（図示省略）、この状態で昇降機２１を上昇させて行われる。このとき、ケーシング１２に振動を付与しながら引き揚げを行うと、ケーシング１２の外面に接触している地盤Ｇとの摩擦が低減されるため、引き揚げ作業を容易に行うことができる。地中のケーシング１２を引き揚げると、ケーシングＳの内部に充填されていた土壌Ｓはそのまま地中に残存することになる。これにより、地盤Ｇの掘削により形成された穴の埋め戻しが完了する。
【００５３】
なお、（ｆ）引揚工程において、ケーシング１２を地中から引き揚げると、ケーシングＳの体積（厚み分）に相当する筒状の空隙が瞬間的に地盤Ｇに発生し、埋め戻した土壌Ｓが外側に拡がって地盤Ｇに緩みや窪みが発生することがある。そこで、このような不具合を未然に防止するため、（ｅ）充填工程において、周囲の地表面より若干高い位置まで土壌Ｓを過剰に充填することが好ましい。このような対策をしておくと、ケーシング１２を地中から引き揚げた際、過剰に充填した土壌Ｓがケーシング１２の体積減少分を補填し、地盤Ｇの緩みや窪みの発生を防止することができる。
【００５４】
本発明の地中埋設杭撤去方法によれば、（ａ）位置決め工程、（ｂ）掘削工程、（ｃ）排出工程、（ｄ）引抜工程、（ｅ）充填工程、及び（ｆ）引揚工程を実施することにより、地中に埋設されていた柱状改良杭Ｐは土壌Ｓによって完全に置換され、土地は（ｇ）のように、ほぼ元の状態に回復される。
【００５５】
以上のように、本発明の地中埋設杭撤去方法、及び地中埋設杭撤去装置は、脆く砕け易い柱状改良杭を無理やり引き抜くのではなく、敢えて地中で破砕し、破砕物を圧縮空気の力によって地上に排出するという全く新しい技術を採用するものである。この新技術によれば、掘削現場が水でぬかるんだり、薬剤で汚染されたりすることがないため、土地を回復させるにあたり、地盤の損傷や汚染を最小限に抑制することが可能となる。しかも、本発明は、低コストで且つ確実に地中埋設杭を撤去することができるため、特に、一般の住宅地の整地に適した工法となり得るものである。
【産業上の利用可能性】
【００５６】
本発明の地中埋設杭撤去方法、及び地中埋設杭撤去装置は、一般住宅向けの地盤改良工事において施工される柱状改良杭の撤去に利用可能であるが、筋材又は線材を含まない地中埋設物であれば、他の地中埋設物の撤去においても適用可能である。
【符号の説明】
【００５７】
１０      オーガー
１１      スクリュー
１１ａ    スクリューロッド
１１ｂ    回転翼
１１ｃ    中空部
１１Ａ    スクリューの先端側
１１Ｂ    スクリューの基端側
１２      ケーシング
１３      破砕ビット
１４      オーガー中空チャック部分
１５      排出部（排出手段）
１５ａ    管体
１５ｂ    開口部
２０      車両（位置決め手段）
２１      昇降機（移動手段、引揚手段）
２２      把持アーム
３０      コンプレッサー（圧縮空気源）
３１      バルブ
４０      バックホー（充填手段）
１００    地中埋設杭撤去装置
Ｇ        地盤
Ｐ        柱状改良杭
ｐ        破砕物
Ｓ        土壌
Ｘ        回転軸
【要約】      （修正有）【課題】地中に埋設された柱状改良杭を低コストで且つ確実に撤去する技術を提供する。【解決手段】破砕ビット１３が装着されたスクリュー１１を用いて、地中に埋設された筋材又は線材を含まない柱状改良杭Ｐを撤去する地中埋設杭撤去方法であって、スクリュー１１は、筒状のケーシング１２の内部に上下移動及び回転可能に収容され、スクリュー１１を柱状改良杭Ｐの上方位置にセットする位置決め工程と、スクリュー１１を回転させながらケーシング１２とともに下降させることにより、破砕ビット１３で柱状改良杭Ｐを破砕しながら地中を掘削する掘削工程と、スクリュー１１の基端側１１Ｂから圧縮空気を注入して先端側１１Ａから噴射させることにより、地中に存在する柱状改良杭Ｐの破砕物ｐをケーシング１２の上部から排出する排出工程と、を包含する。【選択図】図２【図１】
0005700611.tif 000002
【図２】
0005700611.tif 000003
【図３】
0005700611.tif 000004